(57)【特許請求の範囲】
【請求項１】
ハウジングと、
毛を切断するトリマであって、前記トリマが、格納位置と動作位置との間で移動可能であるトリマ支持要素により支えられ、後者の位置において、前記トリマが前記ハウジングから離間され、前記トリマ支持要素が、支持要素ヒンジを介して前記ハウジングに回転可能に接続され、前記支持要素ヒンジが、前記支持要素ヒンジの回転軸に垂直な方向にガイドによって前記ハウジングに対して移動可能である、前記トリマと、
前記格納位置と前記動作位置との間の前記トリマ支持要素の移動を規定する移動部材と、
を有する電気装置において、
前記移動部材が、第１の移動部材ヒンジにおいて前記ハウジングに及び前記支持要素ヒンジから離間された第２の移動部材ヒンジにおいて前記トリマ支持要素に回転可能に接続され、前記第１の移動部材ヒンジ及び前記第２の移動部材ヒンジが、前記支持要素ヒンジの回転軸と実質的に平行である第１の回転軸及び第２の回転軸をそれぞれ有することを特徴とする電気装置。
【請求項２】
前記ガイドが、前記ハウジングの外側に実質的に平行に延在し、前記移動部材は、前記支持要素ヒンジが前記ガイドに沿って移動される場合に前記ハウジングから離れるように前記トリマ支持要素を回転させるように前記ハウジング及び前記トリマ支持要素に接続される、請求項１に記載の電気装置。
【請求項３】
前記移動部材は、前記ハウジングに対する前記トリマの移動の方向が前記支持要素ヒンジの移動の方向の成分を持つように構成及び配置される、請求項２に記載の電気装置。
【請求項４】
少なくとも前記動作位置において、前記移動部材は、前記支持要素ヒンジから離れた支持位置において前記トリマ支持要素を支持するように前記ハウジング及び前記トリマ支持要素と係合される、請求項１に記載の電気装置。
【請求項５】
前記移動部材及び前記トリマ支持要素は、前記トリマ支持要素が前記動作位置にある場合に、前記第１の移動部材ヒンジ、前記第２の移動部材ヒンジ及び前記支持要素ヒンジが実質的に同一面内に延在するように配置及び成形され、前記移動部材及び前記トリマ支持要素が位置合わせされる、請求項１に記載の電気装置。
【請求項６】
選択された位置において前記トリマ支持要素を解放可能にロックするロック部材を有する、請求項１に記載の電気装置。
【請求項７】
前記ロック部材が、少なくとも前記動作位置において前記移動部材及び前記ハウジングを互いに対してロックする、請求項６に記載の電気装置。
【請求項８】
前記ロック部材が、弾性要素を有し、前記弾性要素が、取り付け部分において、前記ハウジングに取り付けられ、前記取り付け部分から離れて配置された結合部を備え、前記結合部が、少なくとも前記動作位置において前記移動部材上に配置されたカウンタ結合部に適合し、前記結合部及び前記カウンタ結合部が、一緒に適合される場合に前記移動部材を前記ハウジングにロックし、前記結合部及び前記カウンタ結合部が、前記弾性要素の弾性のおかげで解放可能である、請求項７に記載の電気装置。
【請求項９】
前記弾性要素が、板ばねを有し、前記結合部及び前記カウンタ結合部が、少なくともそれぞれ前記第１の移動部材ヒンジ及び前記結合部の周方向において適合する突出部及び凹部により形成され、前記突出部及び前記凹部が、前記第１の移動部材ヒンジの回転軸の方向に向けられ、前記板ばねが、前記突出部及び前記凹部を互いに向けて押すように構成され、前記突出部及び前記凹部は、前記移動部材に対して回転力を加えると、前記板ばねが、前記回転軸の方向において前記第１の移動部材ヒンジから離れるように押されるような漸進的な形状を持つ、請求項８に記載の電気装置。
【請求項１０】
前記トリマ支持要素が、ユーザが前記ガイドに沿って前記支持要素ヒンジを移動することを可能にするように前記ハウジングにスライド可能に接続された始動部材に回転可能に接続される、請求項１に記載の電気装置。
【請求項１１】
前記始動部材及び前記トリマ支持要素が、前記ガイドの長手方向において互いに隣接し、両方とも前記ハウジングから離れる方向に向いている前記トリマ支持要素の裏側及び前記始動部材の表面の両方が、前記トリマ支持要素と前記始動部材との間の空間をも覆う可とう性材料により覆われる、請求項９に記載の電気装置。
【請求項１２】
ハウジングと、
少なくとも１つのシェービングヘッドと、
毛を切断するトリマであって、前記トリマが、格納位置と動作位置との間で移動可能であるトリマ支持要素により支えられ、後者の位置において、前記トリマが前記ハウジングから離間され、前記トリマ支持要素が、支持要素ヒンジを介して前記ハウジングに回転可能に接続され、前記支持要素ヒンジが、前記支持要素ヒンジの回転軸に垂直な方向にガイドによって前記ハウジングに対して移動可能である、前記トリマと、
前記トリマを駆動する駆動機構と、
前記格納位置と前記動作位置との間で前記トリマ支持要素をガイドする移動部材と、
選択された位置において前記トリマ支持要素を解放可能にロックするロック部材と、
を有するシェービング装置において、
前記移動部材が、第１の移動部材ヒンジにおいて前記ハウジングに及び前記支持要素ヒンジから離間された第２の移動部材ヒンジにおいて前記トリマ支持要素に回転可能に接続され、前記第１の移動部材ヒンジ及び前記第２の移動部材ヒンジが、前記支持要素ヒンジの回転軸と実質的に平行である第１の回転軸及び第２の回転軸をそれぞれ有することを特徴とするシェービング装置。
【請求項１３】
前記動作位置において、前記トリマが、前記シェービングヘッドを通る面の近く、前記面内に又は前記面を通って配置される、請求項１２に記載のシェービング装置。
【発明の詳細な説明】
【技術分野】
【０００１】
本発明は、電気装置に関し、より具体的には、毛を切断するトリマを有するシェービング装置に関する。
【背景技術】
【０００２】
あるタイプのシェービング装置のような特定の電気装置は、口髭の毛のような比較的長い毛を切断するトリマを備える。特許出願ＷＯ２００５／０００７３５４は、トリマを有するシェービング装置を開示し、前記トリマは、スライドボタンにより引っ込めた位置から前記トリマが前記装置のハウジングから突き出る動作位置に切り換えられることができる。
【発明の概要】
【発明が解決しようとする課題】
【０００３】
前記動作位置において、前記トリマが、従来の装置の場合より前記スライドボタンから更に離れて配置されることが望ましい。特に、トリマを含むシェービング装置に対して、快適に正確な毛切断を可能にするように前記トリマをシェービングヘッドを通る面のより近くに配置することが望ましい。上述の要望を満たす電気装置を提供することは有利である。
【課題を解決するための手段】
【０００４】
前記要望は、請求項１に記載の本発明の第１の態様による電気装置により対処される。記載されるフィーチャの利点は、前記電気装置が、前記ハウジングに対するトリマ支持要素の回転移動のみ又はスライド可能移動のみの場合より前記トリマの格納位置及び動作位置に関する設計のより大きなフレキシビリティを提供することである。更に、動作時の前記トリマの所望の位置は、前記トリマ支持要素を、上述の従来の装置で必要である大きな角度を経て回転することなしに達成されることができる。したがって、本発明は、前記装置に対するコンパクトな機構を提供することを可能にする。
【０００５】
前記格納位置において、前記トリマ支持要素は、前記トリマが使用されない場合に前記ハウジングの外側が実質的に滑らかな表面を持つように前記ハウジング内に引っ込められることができるが、前記トリマ支持要素の他の位置が考えられる。更に、前記トリマは、駆動機構により駆動されることができる。
【０００６】
請求項２に記載の装置は、前記ハウジングの外側に沿って前記トリマ支持要素を格納する機会を提供し、ここから前記トリマ支持要素は、前記トリマが前記ハウジングに対する所望の動作位置に到達するように、前記動作位置の方にフリップ及びスライドの両方をなされることができる。前記支持要素ヒンジの可動回転軸により、前記トリマ支持要素は、前記ハウジングに沿って特定の方向に及び同時に前記ハウジングから離れる方向に移動されることができる。
【０００７】
請求項３のフィーチャの利点は、前記トリマ支持要素の移動が、上方向及び前方向の両方であることであり、これは、前記トリマ支持要素の前部位置が、移動可能な支持要素ヒンジの移動の方向に前記ハウジングから上昇することを意味する。これは、前記装置の使いやすさを向上させる。
【０００８】
請求項４のフィーチャの利点は、前記トリマ支持要素が、前記動作位置の安定な位置に維持されることである。したがって、移動部材は、前記格納位置から前記動作位置への前記トリマ支持要素のガイド及び前記動作位置にある場合の前記トリマ支持要素の支持の両方を行う。
【０００９】
請求項５に記載の装置の実施例は、前記移動部材が、前記格納位置及び前記動作位置の両方並びにこれらの間の位置において前記ハウジング及び前記トリマ支持要素を係合するので、実際的かつ単純かつ信頼できる構造である。
【００１０】
請求項６のフィーチャの利点は、前記装置の外観が改良される、すなわち前記トリマ支持要素が前記動作位置にある場合に前記移動部材が目立たないことである。
【００１１】
請求項７のフィーチャの利点は、前記トリマ支持要素が、所望の位置において容易に保持されることができることである。
【００１２】
前記移動部材は、前記ハウジング及び前記トリマ支持要素の両方に接続されるので、請求項８に規定されるように前記移動部材を前記ハウジングに対して固定することにより前記トリマ支持要素を前記動作位置にロックすることが可能である。
【００１３】
ロック部材の実際的かつ比較的単純な構造を含む装置の実施例は、請求項９及び１０に記載される。
【００１４】
請求項１１に記載の実施例は、前記格納位置と前記動作位置の間で前記トリマ支持要素の動作を容易化する。
【００１５】
請求項１２のフィーチャは、前記装置の外観を向上させ、始動部材（activating member）と前記トリマ支持要素との間の空間が埃のような不所望な材料により侵入されることを防止する。
【００１６】
本発明は、請求項１３に記載のシェービング装置にも関する。前記シェービング装置が請求項１４に記載のフィーチャを持つ場合、これは、毛が切断されるべき場所のより良好な視野により前記装置の使用を容易化するので、有利である。
【００１７】
本発明の上述の態様及び他の態様は、図面を参照して以下の説明から明らかである。
【図面の簡単な説明】
【００１８】
【図１】本発明による電気装置の一実施例の一部の斜視図である。
【図２ａ】格納位置から動作位置までの続いて起こる位置を示す、より小さなスケールの図１の実施例の上面斜視図である。
【図２ｂ】格納位置から動作位置までの続いて起こる位置を示す、より小さなスケールの図１の実施例の上面斜視図である。
【図２ｃ】格納位置から動作位置までの続いて起こる位置を示す、より小さなスケールの図１の実施例の上面斜視図である。
【図２ｄ】格納位置から動作位置までの続いて起こる位置を示す、より小さなスケールの図１の実施例の上面斜視図である。
【図３】図１の細部ＩＩＩの部分の拡大図である。
【図４ａ】図２の始動部材及び支持要素の覆われた裏側を示す、シェービング装置の一実施例の前面斜視図である。
【図４ｂ】図２の始動部材及び支持要素の覆われた裏側を示す、シェービング装置の一実施例の後面斜視図である。
【図５】本発明による電気装置の代替実施例の一部の前面図である。
【図６】動作位置（左図）及び格納位置（右図）のトリマ支持要素を示す、本発明による電気装置の他の代替実施例の側面図を示す。
【図７】図６の実施例の一部の概略的断面図である。
【発明を実施するための形態】
【００１９】
図１は、本発明による電気装置、この場合にはシェービング装置１の一実施例の一部を示す（図４も参照）。シェービング装置１は、ハウジング２、トリマ３及びトリマ３を駆動する駆動機構４を有する。トリマ３は、口髭の毛のような比較的長い毛を切断するのに役立つ。トリマ３は、格納位置と動作位置との間で移動可能であるトリマ支持要素５により支えられる。図１は、トリマ支持要素５がハウジング２から突き出すという事実により、トリマ３がハウジング２から離間される前記動作位置を示す。
【００２０】
トリマ３は、トリマ支持要素５の自由遠位端部６に配置される。トリマ支持要素５の近位端部７は、支持要素ヒンジ８を介してハウジング２に接続される。これは、トリマ支持要素５が、支持要素ヒンジ８の回転軸の周りでハウジング２に対して回転可能であることを意味する。更に、支持要素ヒンジ８は、前記回転軸がガイド９によってハウジング２に対して移動可能であるようにハウジング２に移動可能に接続される（図２参照）。支持要素ヒンジ８の移動の方向は、前記回転軸に垂直であり、隣接するハウジング壁に実質的に平行である。
【００２１】
図２ａ−２ｄにおいて、始動部材１０が、トリマ支持要素５の近位端部７に取り付けられることが図示される。始動部材１０は、ハウジング２に対して、この場合、ハウジング２のガイド９に沿って、スライド可能であり、したがってトリマ支持要素５に回転可能に接続される。図２ａ及び２ｄは、トリマ支持要素５の格納位置及び動作位置をそれぞれ示す。図２ｂ及び２ｃは、前記格納位置と前記動作位置との間の中間位置を示す。図２ａに見られるように、トリマ支持要素５は、トリマ支持要素５の裏側が隣接するハウジング２の外壁と実質的に面一であるように前記格納位置においてハウジング２の凹部内に引っ込められる。
【００２２】
シェービング装置１は、更に、前記格納位置と前記動作位置との間のトリマ支持要素５の移動を規定する移動部材１１を備える。これは、移動部材１１が、トリマ支持要素５の移動経路を規定することを意味する。図１に示された実施例において、移動部材１１は、第１の移動部材ヒンジ１２においてハウジング２に回転可能に接続され、第２の移動部材ヒンジ１３においてトリマ支持要素５に回転可能に接続される。第２の移動部材ヒンジ１３は、支持要素ヒンジ８から離間される。図１に示される実施例において、第２の移動部材ヒンジ１３は、長手方向に見られるようにトリマ支持要素５の中間に配置される。ヒンジ８、１２及び１３は、互いに実質的に平行である回転軸を持つ。移動部材１１は、支持部分１４においてトリマ支持要素５を支持する。前記移動部材は、板状材料からなり、この実施例においてＨ形状である。代替形状は、もちろん、考えられる。
【００２３】
図２ａ−２ｄにおいて、移動部材１１が、トリマ支持要素５を回転させ、支持要素ヒンジ８がガイド９に沿って移動される場合に、トリマ３がハウジング２から離れることがわかる。この実施例の構造により、トリマ３の移動の方向は、支持要素ヒンジ８の移動の方向の成分を持つ。
【００２４】
図１の実施例に対する代替実施例において、移動部材１１及びトリマ支持要素５は、トリマ支持要素５が前記動作位置にある場合に、第１の移動部材ヒンジ１２、第２の移動部材ヒンジ１３及び支持要素ヒンジ８の回転軸が、実質的に同一面内に延在するように配置及び成形されることができる。この場合、移動部材１１及びトリマ支持要素５は、前記動作位置において、移動部材１１が、トリマ支持要素５に対して別個の要素として見られないように位置合わせされる。移動部材１１は、例えば、図２ｄに示されるように、例えば、トリマ支持要素５により部分的に囲まれることができる。
【００２５】
図１に示されるシェービング装置１の実施例は、前記格納位置及び前記動作位置においてトリマ支持要素５を解放可能にロックするロック部材をも備える。前記ロック部材は、ハウジング２に取り付けられる取り付け部分１６を持つ弾性要素１５を有する。弾性要素１５は、取り付け部分１６から離れて配置された結合部１７を備えた板ばねを有する（図３参照）。結合部１７は、移動部材１１上に配置されたカウンタ結合部（counter coupling）１８に適合する。結合部１７及びカウンタ結合部１８は、第１の移動部材ヒンジ１２において、それぞれ、相互に一致する突出部１９及び凹部２０により形成される。突出部１９及び凹部２０は、第１の移動部材ヒンジ１２の回転軸の方向に向けられる。
【００２６】
弾性要素１５の前記板ばねは、突出部１９及び凹部２０を互いに向けて第１の移動部材ヒンジ１２の回転軸の方向に押す。これは、弾性要素１５に対する移動部材１１の回転位置において、結合部１７及びカウンタ結合部１８が、ハウジング２に対して移動部材１１をロックすることを意味する。しかしながら、結合部１７及びカウンタ結合部１８は、一緒に適合されるが、弾性要素１５の弾性のおかげで解放可能である。これは、突出部１９及び凹部２０の漸進的な形状により達成される。移動部材１１に回転力を加える場合、前記板ばねは、第１の移動部材ヒンジ１２から離れるように前記回転軸の方向に押される。図３は、移動部材１１の前記動作位置における前記ロック部材の状態を示す。移動部材１１が、前記動作位置から前記格納位置へのトリマ支持要素５の移動により回転させられる場合、弾性要素１５は、外側に押され、突出部１９は、前記格納位置における結合部１７の突出部の先端を越えて終わるように結合部１７の前記突出部に沿って移動する。弾性要素１５は、結合部１７とカウンタ結合部１８との間で作用する力を引き起こすので、移動部材１１は、移動部材１１に対する回転力が、弾性要素１５の弾性に依存する所定のレベルより下にとどまる限り、前記格納位置において維持される。
【００２７】
図２ａ−２ｄに示されるように、始動部材１０及びトリマ支持要素５は、ガイド９の長手方向において互いに隣接している。トリマ支持要素５と始動部材１０との間に空間が存在することもわかる。図４ｂは、シェービング装置１の一実施例を示し、両方ともハウジング２から離れる方向に向いているシェービング装置１のトリマ支持要素５の裏側及び始動部材１０の上面の両方が、トリマ支持要素５と始動部材１０との間の前記空間をも覆う可とう性カバー２１により覆われる。トリマ支持要素５が、前記格納位置にある場合、可とう性カバー２１は、好ましくは、ハウジング２の外側と面一である。
【００２８】
図４ａは、トリマ支持要素５の前記動作位置において、トリマ３が、シェービング装置１のシェービングヘッド２２を通る面の近くに配置されることを示す。前記動作位置において、前記トリマは、上述の面の近く若しくは前記面内に配置されるか、又は前記面を通って突き出すことができる。ユーザに対して、これは、前記トリマが使用される場所の可視性の角度を向上させるように見える。
【００２９】
図１は、駆動機構４が、往復駆動要素２３と、駆動要素２３の移動をトリマ３に伝達する伝達レバー２４とを有することを示す。この実施例において、トリマ支持要素５は、伝達レバー２４を収容する。伝達レバー２４は、トリマ支持要素５に回転可能に接続される。
【００３０】
図５は、駆動機構４の代替実施例を示す。この場合、前記伝達レバーは、下側伝達部分２４ａ及び上側伝達部分２４ｂを有する。下側部分２４ａは、移動部材１１に回転可能に接続される。２つの部分２４ａ、２４ｂの伝達レバーの利点は、この場合、トリマ支持要素５と移動部材１１との間の比較的広い角度が前記動作位置において許容されることである。駆動要素２３は、トリマ支持要素５が前記動作位置にある場合に伝達レバー２４又は下側部分２４ａに自動的に結合されるように配置及び成形される。
【００３１】
図６は、本発明によるシェービング装置１の代替実施例を示す。この場合、始動部材１０は、始動部材１０がハウジング２に沿って下向きにシェービングヘッド２２から離れるように移動される場合に、トリマ支持要素５を格納位置からアンロックする比較的大きなボタンである。この移動に対して、トリマ支持要素５は、ばね２５により上向きに押される（図７参照）。
【００３２】
この実施例において、支持要素ヒンジ８は、ガイド９を通って移動可能である。前記格納位置と前記動作位置との間のトリマ支持要素５の移動を規定する移動部材１１は、ハウジング２の一部である壁部により形成される。移動部材１１は、前記動作位置においてトリマ支持要素５をも支持する。この実施例において、前記ロック部材は、ばね２５により形成されるが、複数の代替機構が考えられる。
【００３３】
先行する記載から、本発明が、前記トリマを前記ハウジングに対して所望の位置に移動するコンパクトかつ比較的単純な機構を提供することは、明らかである。
【００３４】
本発明は、図面に示された上述の実施例に限定されず、請求項の範囲から逸脱することなしに複数の方法で変えられることができる。様々な実施例のフィーチャは、組み合わせられてもよい。前記電気装置は、シェービング装置に限定されないが、例えば、比較的長い毛に対する第１のトリマ及び短い毛に対する第２のトリマを持つ電気装置のようなトリマを含む代替的な装置が可能である。
【００３５】
一般に、この明細書において、表現"有する"は、他の要素又はステップを除外せず、"１つの"（"a" or "an"）は、複数を除外しない。請求項内の参照符号は、本発明の範囲を限定すると解釈されるべきではない。
【図１】
0005592785.tif 000002
【図２ａ】
0005592785.tif 000003
【図２ｂ】
0005592785.tif 000004
【図２ｃ】
0005592785.tif 000005
【図２ｄ】
0005592785.tif 000006
【図３】
0005592785.tif 000007
【図４ａ】
0005592785.tif 000008
【図４ｂ】
0005592785.tif 000009
【図５】
0005592785.tif 000010
【図６】
0005592785.tif 000011
【図７】
0005592785.tif 000012